(57)【要約】【課題】本発明は容易にリモコン機能を使用することができる携帯端末装置を提供することを目的とする。より具体的には、対象機器から遠隔制御データを短時間で受信できる携帯端末装置や安全にリモコン機能を利用することができる携帯端末装置を提供することを目的とする。【解決手段】受信部１０２は、対象機器から赤外線通信方式等で遠隔制御データを受信し、制御部１０４は前記遠隔制御データを記憶部１０６に記憶する。受信した遠隔制御データはリモコン操作を示す説明情報を含む。表示部１０７は、文字情報及び画像情報を表示する。出力選択部１１５は、音声情報を再生するかどうかを選択する。再生部１１３は、音声情報を再生する。送信部１０３は、使用者が操作部１０５で指定した遠隔制御データに基づいて遠隔操作命令を赤外線通信方式等によって、対象機器に送信する。【選択図】図１
2006217227.tif 000002
【特許請求の範囲】
【請求項１】
遠隔操作する対象機器から遠隔制御データを受信する受信部と、前記遠隔制御データを記憶する記憶部と、前記遠隔制御データに基づいて遠隔制御信号を前記対象機器へ送信する送信部とを具備することを特徴とする携帯端末装置。
【請求項２】
前記遠隔制御データは、視覚情報及び音声情報のうち一以上からなる説明情報を含み、前記視覚情報を表示する表示部を具備することを特徴とする請求項１に記載の携帯端末装置。
【請求項３】
前記音声情報を再生する再生部と、前記遠隔制御データを受信したときに前記音声情報を再生するかどうかを選択する選択部とを具備することを特徴とする請求項２に記載の携帯端末装置。
【請求項４】
請求項１から請求項３のいずれかに記載の携帯端末装置と、前記携帯端末装置から遠隔操作命令を受信する遠隔操作命令受信部と、前記携帯端末装置へ遠隔制御データを送信する遠隔制御データ送信部とを具備する対象機器とを具備するリモコンシステム。
【請求項５】
使用者が正当であることを示す認証情報を入力する認証情報入力部と、前記送信部は遠隔操作命令及び認証情報を前記対象機器へ送信することを特徴とする請求項１から３のいずれかに記載の携帯端末装置。
【請求項６】
請求項５に記載の携帯端末装置と、前記携帯端末装置から遠隔操作命令を受信する遠隔操作命令受信部と、前記携帯端末装置へ遠隔制御データを送信する遠隔制御データ送信部と、前記携帯端末装置から認証情報を受信する認証情報受信部と、受信した前記認証情報を認証する認証部とを具備する対象機器とを具備するリモコンシステム。
【請求項７】
遠隔操作する対象機器から遠隔制御データを受信する受信部と、前記対象機器から前記対象機器を識別する識別子を受信する識別子受信部と、前記遠隔制御データと前記識別子を関連付けて記憶する記憶部と、受信した前記識別子に対応する遠隔制御データを前記記憶部に記憶している場合は前記記憶部に記憶された遠隔制御データを読み出し、受信した前記識別子に対応する遠隔制御データを前記記憶部に記憶していない場合は前記対象機器から遠隔制御データを受信する制御を行う選択部とを具備することを特徴とする携帯端末装置。
【請求項８】
請求項７に記載の携帯端末装置と、前記携帯端末装置から遠隔操作命令を受信する遠隔操作命令受信部と、前記携帯端末装置へ対象機器を識別する識別子を送信する識別子送信部と、前記携帯端末装置へ遠隔制御データを送信する遠隔制御データ送信部とを具備する対象機器とを具備するリモコンシステム。
【発明の詳細な説明】
【技術分野】
【０００１】
本発明は、携帯端末装置、特に、家庭内の電子機器の遠隔操作を行うことができる携帯電話端末及び携帯電話端末を用いたリモコンシステムに関する。
【背景技術】
【０００２】
家庭内の電子機器を赤外線通信等の手段を用いて遠隔操作するためのリモコン装置が普及している。しかし、家庭内の電子機器の数が増大するにつれ、それらの電子機器を操作するために複数のリモコン装置が必要になり、それらのリモコン装置の形状や操作方法が異なるため、操作が煩雑になるという問題があった。
【０００３】
そこで、音声通話機能やデータ通信機能などの基本機能に、家庭内の複数の電子機器を遠隔制御する機能を付加機能として追加した携帯電話装置などの携帯端末装置が提案されている（例えば、特許文献１参照）。この携帯端末装置によれば、１つの携帯端末装置を用いることにより、複数の電子機器を遠隔操作でき、個別のリモコン装置による操作が不要となっている。
【特許文献１】特開２００１−９４６７５号公報(第８−９頁、図１９)
【発明の開示】
【発明が解決しようとする課題】
【０００４】
しかしながら、上記の携帯端末装置においては、以下のような問題があった。
（１）電子機器を遠隔操作するための遠隔制御データをあらかじめネットワークを介してダウンロードする必要があるため、対象となっている電子機器に対してリモコン機能を使えるようにするまでに時間がかかる。
（２）一旦遠隔制御データを受信・記憶した後も、リモコン機能を使用する際には、対象電子機器に対応する遠隔制御データをメニューを用いて機種選択を行う等の煩雑な操作によって読み込む必要がある。
（３）他人の携帯端末を用いて家庭内の電子機器を遠隔操作されるという安全性の問題がある。
（４）リモコン機能を説明する音声情報を再生することができない。又は、状況に応じて音声情報を再生することができない。
【０００５】
本発明はかかる点に鑑みてなされたものであり、リモコン機能を有した携帯端末装置において、対象機器から遠隔制御データを短時間で受信できる携帯端末装置、煩雑な操作なしにリモコン機能を利用できる携帯端末装置、安全にリモコン機能を利用することができる携帯端末装置、又は状況に応じて音声情報を再生する携帯端末装置を提供することを目的とする。
【課題を解決するための手段】
【０００６】
本発明のリモコンシステムは、遠隔操作する対象機器から視覚情報及び音声情報のうち一以上からなる説明情報を含む遠隔制御データを受信する受信部と、視覚情報を表示する表示部と、音声情報を再生する再生部と、遠隔制御データを受信したときに前記音声情報を再生するかどうかを選択する選択部と、遠隔制御データを記憶する記憶部と、使用者が正当であることを示す認証情報を入力する認証情報入力部と、遠隔制御データに基づいて遠隔操作命令及び認証情報を対象機器へ送信する送信部とを具備する携帯端末装置と、携帯端末装置へ遠隔制御データを送信する遠隔制御データ送信部と、携帯端末装置から遠隔操作命令を受信する遠隔操作命令受信部と、携帯端末装置から認証情報を受信する認証情報受信部と、受信した指紋情報が正当使用者のものかどうか認証する認証部とを具備する対象機器と、から構成される。
【０００７】
このような構成にしたことにより、携帯端末装置は遠隔操作命令と共に認証情報を送信するので、対象機器は認証を行った上で、認証が成功した場合にのみ携帯端末から送信された遠隔操作命令が処理することができるので、許可されていない使用者の携帯端末から遠隔操作されることがなく、安全にリモコン機能を利用することができる。さらに、電話の着信音がオンに設定されている場合にのみ音声情報を再生するので、使用者の状況に応じて、説明情報のうち音声情報を再生することができる。
【０００８】
さらに本発明のリモコンシステムは、遠隔操作する対象機器から遠隔制御データを受信する受信部と、対象機器から対象機器を識別する識別子を受信する識別子受信部と、遠隔制御データと識別子を関連付けて記憶する記憶部と、受信した識別子に対応する遠隔制御データを記憶部に記憶している場合は記憶部に記憶された遠隔制御データを読み出し、受信した識別子に対応する遠隔制御データを記憶部に記憶していない場合は対象機器から遠隔制御データを受信する制御を行う選択部とを具備する携帯端末装置と、携帯端末装置へ対象機器を識別する識別子を送信する識別子送信部と、携帯端末装置へ遠隔制御データを送信する遠隔制御データ送信部と、携帯端末装置から遠隔操作命令を受信する遠隔操作命令受信部とを具備する対象機器と、から構成される。
【０００９】
このような構成にしたことにより、対象機器の識別子と受信した遠隔制御データを関連付けて記憶するので、対象機器の遠隔制御データをすでに記憶している場合には、識別子のみを対象機器から受信するだけでよいので、遠隔操作を開始するまでの事前の通信に要する時間を小さくすることができる。また、対象機器から受信した識別子に基づいて遠隔制御データを読み出し又は受信するので、使用者が手動で遠隔制御データの選択を行うような煩雑な操作を不要にすることができる。
【発明の効果】
【００１０】
本発明によれば、リモコン機能を有した携帯端末装置において、対象機器から遠隔制御データを短時間で受信できる携帯端末装置が得られるという効果がある。また、安全にリモコン機能を利用することができる携帯端末装置が得られるという効果がある。さらに、使用者の状況に応じてリモコン機能を説明する音声情報を再生する携帯端末装置が得られるという効果がある。
【発明を実施するための最良の形態】
【００１１】
以下、本発明の実施の形態について、図面を参照して詳細に説明する。
【００１２】
（実施の形態１）
図１に、本発明の実施の形態１に係るリモコンシステムの構成を示すブロック図を示す。本発明の実施の形態１に係るリモコンシステムは、携帯端末装置１２０と遠隔制御の対象機器であるガスストーブ２２０とから構成されるとして説明する。
【００１３】
携帯端末装置１２０は、アンテナ１１０と、無線通信部１０１と、受信部１０２と、送信部１０３と、制御部１０４と、操作部１０５と、記憶部１０６と、表示部１０７と、指紋入力部１１１と、出力選択部１１５と、再生部１１３を具備する。ガスストーブ２２０は、遠隔制御データ送信部２２２、遠隔操作命令受信部２２３と、認証情報受信部２２４と、認証部２２５とを具備する。
【００１４】
無線通信部１０１は、無線ＬＡＮ（例えば、ＩＥＥＥ８０１．１１による無線ＬＡＮ等）、ＰＨＳ、Ｗ−ＣＤＭＡ等の携帯電話通信方式等を用いて、無線通信アンテナ１１０を介して通信回線と接続し、音声通話やデータ通信を可能にする。
【００１５】
受信部１０２は、対象機器であるガスストーブ２２０の遠隔制御データ送信部２２２から赤外線通信方式等で遠隔制御データを受信し、制御部１０４は前記遠隔制御データを記憶部１０６に記憶する。受信した遠隔制御データはリモコン操作を示す説明情報（文字情報、画像情報又は音声情報のうち一以上からなる情報）を含む。表示部１０７は、前記文字情報及び前記画像情報を表示する。出力選択部１１５は、前記音声情報を再生するかどうかを選択する。再生部１１３は、前記音声情報を再生する。送信部１０３は、使用者が操作部１０５で指定した場合に受信した遠隔制御データに基づいて遠隔操作命令を作成し、赤外線通信方式等によって、対象機器であるガスストーブ２２０に送信する。ガスストーブ２２０の遠隔操作命令受信部２２３は、遠隔操作命令を受信すると、その命令に従った動作（スタート、停止等）をする。認証情報受信部２２４は、携帯端末装置１２０から指紋情報を受信する。認証部２２５は、受信した指紋情報が正当使用者のものかどうか認証する。
【００１６】
指紋入力部１１１は使用者の指紋を入力し、記憶部１０６に記憶する。制御部１０４は、前記指紋情報を遠隔操作命令と共に、送信部１０３を介してガスストーブ２２０に送信する。指紋情報はガスストーブ２２０に登録される。ガスストーブ２２０は、遠隔操作命令受信部２２３が受信した指紋情報と事前に登録された指紋情報を比較することによって認証が行われる。
【００１７】
次に図２のフローチャートを用いて本実施の形態１の携帯端末装置がガスストーブを操作する場合の動作について説明する。まず、使用者は指紋入力部１１１に指をあてて指紋情報を入力し、送信部１０３を介してガスストーブ２２０に指紋情報を送信する。ガスストーブ２２０は遠隔操作命令受信部２２３が受信した指紋情報を記憶する（Ｓ３０２）。携帯端末装置はガスストーブ２２０から遠隔操作のための遠隔制御データを受信するまで待機する（Ｓ３０３）。携帯端末装置が遠隔制御データを受信した場合は、記憶部１０６に記憶し（Ｓ３０４）、遠隔制御データから抽出した説明情報を使用者に提示する（Ｓ３０５）。遠隔操作終了が指示されると、ガスストーブ２２０の操作を終了するが（Ｓ３０９）、終了されない場合は、操作部が押下されるまで、説明情報を提示する（Ｓ３０７）。操作部が押下された場合は、対応する遠隔操作命令と登録された指紋情報とをガスストーブ２２０に送信し（Ｓ３０８）、説明情報の提示に戻る（Ｓ３０５）。
【００１８】
図３は、携帯端末装置の表示部１０７を示している。表示部１０７は、タッチパネル付き液晶表示装置として構成され、電池残量表示や受信電界強度などの携帯電話機能固有の情報を表示する上部表示部８０２と、遠隔操作機能などを表示する中央表示部８０３とに分かれている。
【００１９】
図３では、中央表示部８０３に、対象機器名などの対象機器に関する説明情報を示すテキスト８２１、リモコン操作内容を示すテキスト８２２、画像８１１、画像８１２、画像８１３、画像８１４を表示している。テキスト８２１は、対象機器に関する説明情報を示し、「ガスストーブが操作できます。」と表示することにより、現在ガスストーブの遠隔操作が可能となっていることを使用者に示す。テキスト８２２は、命令可能な遠隔操作命令を示し、図３においては、「強」、「停止」、「スタート」、「弱」の４つの命令が可能であることを示している。画像８１１から画像８１４は、遠隔操作時に使用者が押すべきボタンを表示し、これらのボタンが押されると、対応する遠隔操作命令がガスストーブ２２０に送信される。例えば、画像８１３の部分が押されると、「スタート」を指示する遠隔操作命令を作成し、ガスストーブ２２０に送信する。
【００２０】
次に、図４のフローチャートを用いて、図２のステップＳ３０５における説明情報の提示方法を詳細に説明する。携帯端末装置１２０は遠隔制御データを受信し、記憶部１０６に記憶すると（Ｓ３０４）、電話の着信音がオフに設定されているかどうかを判定する（Ｓ４０１）。電話の着信音がオフに設定されている場合は、音声の再生をオフにし（Ｓ４０２）、説明情報として画像情報のみを表示する（Ｓ４０３）。電話の着信音がオンに設定されている場合は、音声の再生をオンにし（Ｓ４０４）、説明情報として画像情報を表示しつつ、音声情報も再生する（Ｓ４０５）。この場合、図３に示すテキスト８２１に対応した「ガスストーブが操作できます。」という音声を再生する。したがって、電話の着信音をオフにしている場合、すなわち、使用者が音声の再生をすべき状況ではないと考えている場合には、音声情報を再生しない。
【００２１】
図５は、遠隔操作命令と、その指示内容を示した表である。上記の例のように、画像８１３が押され、「スタート」が指定されると、遠隔操作命令「00000010」が作成され、ガスストーブ２２０に対して送信される。
【００２２】
以上説明したように、本実施の形態１によれば、携帯端末装置は直接対象機器から遠隔制御データを受信するので、簡単にかつ短時間で受信できるという効果がある。携帯端末装置は遠隔操作命令と共に指紋情報を送信するので、対象機器は認証を行った上で、認証が成功した場合にのみ携帯端末から送信された遠隔操作命令が処理することができるので、許可されていない使用者の携帯端末から遠隔操作されることがなく、安全にリモコン機能を利用することができるという効果がある。例えば、他人が家庭内のガスストーブを無断で遠隔操作することにより、火災が起きることなどを防止することができる。
【００２３】
さらに、本実施の形態１によれば、電話の着信音がオンに設定されている場合にのみ音声情報を再生するので、使用者の状況に応じて、説明情報のうち音声情報を再生する携帯端末装置が得られるという効果がある。
【００２４】
なお、本実施の形態１では、赤外線通信方式を用いて遠隔制御データを送受信したが、これに限るものではなく、近距離無線通信、例えばＢｌｕｅｔｏｏｔｈ（登録商標）、等いかなる方式で送受信してもよい。
【００２５】
また、本実施の形態１では、認証情報として指紋情報を用いたが、これに限るものではなく、予め使用者が登録した数字及び文字の組み合わせからなるパスワード等のいかなる情報を代わりに用いてもよい。
【００２６】
また、本実施の形態１では、対象機器をガスストーブとして説明したが、これに限るものではなく、いかなる機器を対象機器としてもよい。例えば、電気錠、テレビ、照明機器、エアコンや自動車玩具、ロボット玩具、介助ロボットなどを対象機器としてもよい。
【００２７】
（実施の形態２）
次に本発明の実施の形態２について説明する。本発明の実施の形態２に係るリモコンシステムは、携帯端末装置１３０と対象機器である扇風機２３０とから構成されるとして説明する。本実施の形態２のリモコンシステムにおける携帯端末装置には、前記実施の形態１の構成に加えて対象機器の識別子を受信する識別子受信部を設け、対象機器には識別子を送信する識別子送信部を設けている。
【００２８】
図６は、本発明の実施の形態２に係るリモコンシステムの構成を示すブロック図である。本発明の実施の形態２に係る携帯端末装置１３０は、実施の形態１による携帯端末装置と同様にアンテナ１１０と、無線通信部１０１と、送信部１０３と、制御部１０４と、操作部１０５と、記憶部１０６と、表示部１０７とを具備し、さらに、識別子受信部２０１と、遠隔制御データ受信部２０２とを具備する。
【００２９】
本発明の実施の形態２に係る扇風機２３０は、識別子送信部２３１と、遠隔制御データ遠隔制御データ送信部２３２と、遠隔操作命令受信部２３３とを具備する。
【００３０】
扇風機２３０の識別子送信部２３１は無線ＩＣタグ（ＲＦＩＤ）から構成され、電磁誘導方式等で識別子を携帯端末装置１３０に送信する。遠隔制御データ送信部２２２は、遠隔制御データを携帯端末装置１３０に送信する。遠隔操作命令受信部２３３は携帯端末装置１３０から遠隔操作命令を受信すると、扇風機２３０は、その命令に従って動作する。
【００３１】
携帯端末装置１３０の識別子受信部２０１は、対象機器である扇風機２３０を識別するための固有の識別子を扇風機２３０の識別子送信部２３１から受信する。識別子受信部２０１は、扇風機に取り付けられた無線ＩＣタグから電磁誘導方式等で識別子を受信し、制御部１０４によって記憶部１０６に記憶する。遠隔制御データ受信部２０２は、扇風機を制御するための遠隔制御データ（説明情報を含む。）を赤外線通信方式等により受信する。実施の形態１と同じ番号を付したその他の構成については、実施の形態１と同様であるので説明を省略する。
【００３２】
次に、図７のフローチャートを用いて本実施の形態２の携帯端末装置の動作を説明する。まず、携帯端末装置１３０が扇風機２３０に近づくと、携帯端末装置１３０が扇風機２３０から識別子を受信する（Ｓ６０２）。携帯端末装置１３０の制御部１０４は受信した識別子に対応する遠隔制御データを保有しているかどうかを検査する（Ｓ６０３）。そして保有していない場合は、遠隔制御データを扇風機２３０から受信し、記憶部１０６に記憶する（Ｓ６０４）。保有している場合は、遠隔制御データを記憶部１０６から読み込み、音声又は画像情報からなる説明情報を提示する（Ｓ６０５）。遠隔操作終了が指示されると、扇風機２３０の操作を終了するが（Ｓ６０９）、終了が指示されない場合は、遠隔操作命令を指示するボタンが押されたかどうか判定する（Ｓ６０７）。操作部が押下された場合は、対応する遠隔操作命令を扇風機２３０に送信し（Ｓ６０８）、操作部が押下されない場合は、Ｓ６０５に戻って説明情報の提示を継続する。
【００３３】
図８に、記憶部１０６に記憶された、識別子と遠隔制御データを関連付けた記憶データの構成を示す。例えば、扇風機２３０から識別子「00010011」を受信した場合には、図８（ａ）の「A003.dat」という遠隔制御データが対応するので、記憶部１０６から「A003.dat」というファイルを読み込む。図８（ａ）の表にない識別子「10000000」を扇風機２３０から受信した場合には、扇風機２３０から遠隔制御データをさらに受信し、ファイル名を、例えば、図８（ｂ）のように「C144.dat」などとして記憶部１０６に保存しておく。この「C144.dat」をファイル名とする遠隔制御データは、遠隔制御を行った後も記憶部１０６に記憶され、将来、扇風機２３０から同一の識別子「10000000」を受信した場合には、記憶部１０６から読み出される。
【００３４】
以上説明したように、本実施の形態２によれば、特に扇風機の識別子と受信した遠隔制御データを関連付けて記憶するので、扇風機の遠隔制御データをすでに記憶している場合には、識別子のみを扇風機から受信するだけでよいので、遠隔操作を開始するまでの事前の通信に要する時間が小さくてすむという効果がある。また、対象機器から受信した識別子に基づいて遠隔制御データを読み出し又は受信するので、使用者が手動で遠隔制御データの選択を行うような煩雑な操作を不要にすることができるという効果がある。
【００３５】
なお、上記携帯端末装置１３０では、実施の形態１の図１で示した指紋入力部１１１や、再生部１１３や、出力選択部１１５を省いているが、これらを備えた構成にしてもよいことはもちろんである。
【００３６】
なお、本実施の形態２では、電磁誘導方式を用いて識別子を送受信し、赤外線通信方式を用いて遠隔制御データを送受信したが、これに限るものではなく、近距離無線通信、例えばＢｌｕｅｔｏｏｔｈ（登録商標）、等いかなる方式で送受信してもよい。
【００３７】
また、本実施の形態２では、対象機器を扇風機として説明したが、これに限るものではなく、いかなる機器を対象機器としてもよい。例えば、電気錠、テレビ、照明機器、エアコンや自動車玩具、ロボット玩具、介助ロボットなどを対象機器としてもよい。
【００３８】
なお、本発明の実施の形態２では、携帯端末装置１３０が対象機器である扇風機２３０に近づいたときに、扇風機２３０の識別子送信部２３１から識別子を受信することにより図７の遠隔制御動作が始まるように構成しているが、携帯端末装置１３０の識別子受信部２０１と扇風機２３０の識別子送信部２３１が所定の角度範囲内に対向するようにしたときに遠隔制御動作が始まるようにしてもよい。
【００３９】
なお、本実施の形態２では、識別子送信部として無線ＩＣタグ（ＲＦＩＤ）を用いたがこれに限るものではなく、対象機器にインターネットのホームページアドレス情報（ＵＲＬ）を有するバーコードを付加してもよい。このようなバーコードは無線ＩＣタグ（ＲＦＩＤ）と同時に使用してもよいし、無線ＩＣタグ（ＲＦＩＤ）の代わりに用いてもよい。このようにすることによって、携帯端末装置のカメラ部によってバーコードが撮影されると、自動的に又は手動により当該アドレスにアクセスして、遠隔制御データ又は識別子を取得（ダウンロード）することができる。
【００４０】
なお、本実施の形態２における識別子には、メーカーを識別するためのメーカーコード、製品を識別するための製品コード等が含まれる。
【００４１】
このようにすれば、携帯端末装置を遠隔操作したい対象機器に向けることにより遠隔制御動作を始めることができる。また、携帯端末装置の遠隔制御動作を始める手段として、前記識別子以外の情報の送受信で遠隔制御動作を始めるようにしてもよい。
【産業上の利用可能性】
【００４２】
本発明にかかる携帯端末装置は、対象機器から遠隔制御データを短時間で受信できるリモコン機能を有する携帯端末装置、安全にリモコン機能を利用することができるリモコン機能を有する携帯端末装置、又は状況に応じて音声情報を再生するリモコン機能を有する携帯端末装置に有用である。
【図面の簡単な説明】
【００４３】
【図１】本発明の実施の形態１に係る携帯端末装置とガスストーブのリモコンシステムの構成を示すブロック図
【図２】本発明の実施の形態１に係る携帯端末装置の動作を示すフローチャート
【図３】本発明の実施の形態１に係る携帯端末装置の表示部を示す図
【図４】本発明の実施の形態１に係る携帯端末装置の動作を示すフローチャート
【図５】本発明の実施の形態１に係る携帯端末装置の遠隔操作命令を示す図
【図６】本発明の実施の形態２に係る携帯端末装置と扇風機のリモコンシステムの構成を示すブロック図
【図７】本発明の実施の形態２に係る携帯端末装置の動作を示すフローチャート
【図８】（ａ）本発明の実施の形態２に係る携帯端末装置の遠隔制御データを示す図（ｂ）本発明の実施の形態２に係る携帯端末装置の遠隔制御データを示す図
【符号の説明】
【００４４】
１０１    無線通信部
１０２    受信部
１０３    送信部
１０４    制御部
１０５    操作部
１０６    記憶部
１０７    表示部
１１０    アンテナ
１１１    指紋入力部
１１３    再生部
１１５    出力選択部
２２２    遠隔制御データ送信部
２２３    遠隔操作命令受信部
２２４    認証情報受信部
２２５    認証部
【図１】
2006217227.tif 000003
【図２】
2006217227.tif 000004
【図３】
2006217227.tif 000005
【図４】
2006217227.tif 000006
【図５】
2006217227.tif 000007
【図６】
2006217227.tif 000008
【図７】
2006217227.tif 000009
【図８】
2006217227.tif 000010